(57)【要約】【課題】子局通信装置と端末通信装置との接続状況を学習する通信装置を提供することを目的とする。【解決手段】第１の通信路により端末通信装置と子局通信装置とが接続され、第２の通信路により親局通信装置と前記子局通信装置とが接続されたネットワークで使用される、前記子局通信装置または前記親局通信装置である通信装置において、送信信号を入力し、前記第１の通信路または前記第２の通信路へ出力し、また、前記第１の通信路または前記第２の通信路から信号を入力し、受信信号として出力する送受信装置と、所定のタイミングで一定時間アクティブとなるタイミング信号を出力する、タイミング装置と、前記タイミング信号を入力し、前記タイミング信号がアクティブならば、ＩＤ問合せデータを前記送信信号として出力する問合せ送信装置を備える。【選択図】図１
2006019878.tif 000002
【特許請求の範囲】
【請求項１】
第１の通信路により端末通信装置と子局通信装置とが接続され、第２の通信路により親局通信装置と前記子局通信装置とが接続されたネットワークで使用される、前記子局通信装置または前記親局通信装置である通信装置において、
送信信号を入力し、前記第１の通信路または前記第２の通信路へ出力し、また、前記第１の通信路または前記第２の通信路から信号を入力し、受信信号として出力する送受信装置と、
所定のタイミングで一定時間アクティブとなるタイミング信号を出力する、タイミング装置と、
前記タイミング信号を入力し、前記タイミング信号がアクティブならば、ＩＤ問合せデータを前記送信信号として出力する問合せ送信装置を備えることを特徴とする通信装置。
【請求項２】
通信路により子局通信装置と接続され、また、子局通信装置を介して端末通信装置と接続された、親局通信装置において、
送信信号を入力し、前記通信路へ出力し、また、前記通信路から信号を入力し、受信信号として出力する送受信装置と、
所定のタイミングで一定時間アクティブとなるタイミング信号を出力する、タイミング装置と、
前記タイミング信号を入力し、前記タイミング信号がアクティブならば、ＩＤ問合せデータを前記送信信号として出力する問合せ送信装置と、
前記受信信号を入力し、前記端末通信装置のＩＤ及び前記子局通信装置のＩＤを取り出し、ＩＤペアとして保存する、ＩＤペア保存装置とを備えることを特徴とする請求項１記載の親局通信装置。
【請求項３】
通信路により、第１〜ｎの前記子局通信装置（ｎは自然数）と接続された、親局通信装置において、
前記タイミング装置は、第１〜ｎのタイミングを示す前記タイミング信号を出力するものであって、
前記問合せ送信装置は、
最終的に届けたい届け先を示す最終アドレスと、経由先を示す直接アドレスとを用いて前記ＩＤ問合せデータを作る、問合せ作成装置と、
前記タイミング信号が第１〜ｎのタイミングを示す時に、それぞれ、第１〜ｎの前記子局通信装置のＩＤを、前記ＩＤ問合せデータの前記直接アドレスとして出力する直接アドレス装置とを備えることを特徴とする請求項２記載の親局通信装置。
【請求項４】
前記問合せ送信装置は、
最終的に届けたい届け先を示す最終アドレスと、経由先を示す直接アドレスと、前記最終アドレスへ宛てたＲＡＲＰパケットとを用いて前記ＩＤ問合せデータを作る、問合せ作成装置と、
前記端末通信装置のＩＤ候補を備え、前記ＩＤ問合せデータの前記最終アドレスとして出力する、最終アドレス装置とを備えることを特徴とする請求項２記載の親局通信装置。
【請求項５】
前記最終アドレス装置は、
前記受信信号と、前記ＩＤペアとを入力し、前記受信信号の前記最終アドレスが、前記親局通信装置のＩＤではなく、かつ、前記ＩＤペアテーブル上に存在しない時、前記受信信号の前記最終アドレスを、前記端末通信装置のＩＤ候補とすることを特徴とする請求項４記載の親局通信装置。
【請求項６】
前記問合せ送信装置は、
最終的に届けたい届け先を示す最終アドレスと、経由先を示す直接アドレスと、ＡＲＰパケットとを用いて前記ＩＤ問合せデータを作る、問合せ作成装置を備えることを特徴とする請求項２記載の親局通信装置。
【請求項７】
前記問合せ作成装置は、
前記端末通信装置のＩＰアドレス候補を複数個保持する、端末候補テーブルと、
前記ＩＰアドレス候補を入力し、その全てへ宛てて、ＡＲＰパケットを作成する、ＡＲＰ作成装置とを備えることを特徴とする請求項６記載の子局通信装置。
【請求項８】
前記問合せ作成装置は、
前記親局通信装置自身のサブネットマスクを保持する、サブネットマスクテーブルと、
前記サブネットマスクを入力し、その傘下のＩＰアドレス全てへ宛てて、ＡＲＰパケットを作成する、ＡＲＰ作成装置とを備えることを特徴とする請求項６記載の子局通信装置。
【請求項９】
前記タイミング装置は、
電源投入時、一定時間アクティブとなる電源監視信号を出力する、電源監視装置を備え、
前記電源監視信号を元に、前記タイミング信号を作成することを特徴とする請求項２記載の親局通信装置。
【請求項１０】
前記通信路は、ＩＥＥＥ８０２．１１規格の技術による無線通信路であって、
前記タイミング装置は、
前記受信信号を入力し、前記子局通信装置とのリンクが確立状態であるか非確立状態であるか判定し、非確立状態から確立状態に変化したとき時、一定時間アクティブとなる通信路監視信号を出力する、通信路監視装置を備え、
前記通信路監視信号を元に、前記タイミング信号を作成することを特徴とする請求項２記載の親局通信装置。
【請求項１１】
前記受信信号は、
差出元を示す、前記差出アドレスと、
最終的に届けたい届け先を示す、前記最終アドレスと、
最初の経由先を示す、前記直接アドレスと
を含み、
前記タイミング装置は、
前記受信信号と、前記ＩＤペアとを入力し、前記受信信号の前記最終アドレスが、前記親局通信装置のＩＤではなく、かつ、前記ＩＤペアテーブル上に存在しない時、一定時間アクティブとなる通信路監視信号を出力する、通信路監視装置を備え、
前記通信路監視信号を元に、前記タイミング信号を作成することを特徴とする請求項２記載の親局通信装置。
【請求項１２】
前記タイミング装置は、
一定周期ごとに、一定時間アクティブとなる一定周期信号を出力する、一定周期装置を備え、
前記一定周期信号を元に、前記タイミング信号を作成することを特徴とする請求項２記載の親局通信装置。
【請求項１３】
第１の通信路により端末通信装置と接続され、第２の通信路により親局通信装置と接続され、
第１の送信信号を入力し、前記第１の通信路へ出力し、また、前記第１の通信路から信号を入力し、第１の受信信号として出力する第１の送受信装置と、
第２の送信信号を入力し、前記第２の通信路へ出力し、また、前記第２の通信路から信号を入力し、第２の受信信号として出力する第２の送受信装置と
を備える子局通信装置において、
ＩＤ問合せデータを作成し、前記第１の送信信号として出力するＩＤ問合せ装置と、
ＩＤ通知データを作成し、前記第２の送信信号として出力するＩＤ通知装置とを備え、
前記ＩＤ問合せ装置は、
タイミング信号を出力する、タイミング装置と、
前記タイミング信号を入力し、前記タイミング信号がアクティブならば、前記ＩＤ問合せデータを作成する問合せ送信装置とを備え、
前記ＩＤ通知装置は、
前記第１の受信信号を入力し、前記端末通信装置のＩＤを含む端末ＩＤデータを作成する端末ＩＤ装置と、
前記端末ＩＤデータと、自身のＩＤとを入力し、前記端末通信装置のＩＤと前記自身のＩＤとを含む前記ＩＤ通知データを作成する通知作成装置とを備える
ことを特徴とする請求項１記載の子局通信装置。
【請求項１４】
前記第１の通信路は、イーサネット（登録商標）であって、
前記問合せ送信装置は、前記ＩＤ問合せデータとして、ＡＲＰパケットを作成することを特徴とする請求項１３記載の子局通信装置。
【請求項１５】
前記問合せ送信装置は、
前記端末通信装置のＩＰアドレス候補を複数個保持する、端末候補テーブルと、
前記ＩＰアドレス候補を入力し、その全てへ宛てて、ＡＲＰパケットを作成する、ＡＲＰ作成装置と
を備えることを特徴とする請求項１４記載の子局通信装置。
【請求項１６】
前記問合せ送信装置は、
前記子局通信装置自身のサブネットマスクを保持する、サブネットマスクテーブルと、
前記サブネットマスクを入力し、その傘下のＩＰアドレス全てへ宛てて、ＡＲＰパケットを作成する、ＡＲＰ作成装置と
を備えることを特徴とする請求項１４記載の子局通信装置。
【請求項１７】
前記端末ＩＤ装置は、
前記第１の受信信号を入力し、その前記第１の受信信号の内容を調べ、ＡＲＰの返答パケットである時に、一定時間アクティブとなる返答監視信号を出力する、返答監視装置と、
前記第１の受信信号と、前記返答監視信号とを入力し、前記返答監視信号がアクティブならば、前記第１の受信信号の、イーサネット（登録商標）フレーム上のソースアドレスを用いて前記端末ＩＤデータを作成する、端末ＩＤデータ装置とを備えることを特徴とする請求項１４記載の子局通信装置。
【請求項１８】
前記第２の通信路は、ＩＥＥＥ８０２．１１規格の技術による無線通信路であって、
前記通知作成装置は、ＩＥＥＥ８０２．１１規格のフレーム構成における、受信局アドレスを前記親局通信装置のアドレスとし、送信局アドレスを自身のアドレスとし、データ部を前記端末ＩＤデータとした、前記ＩＤ通知データを作成するものであることを特徴とする請求項１７記載の子局通信装置。
【請求項１９】
前記ＩＤ問合せ装置は、前記ＩＤ問合せデータを、前記第１の送信信号としてのみ出力し、前記第２の送信信号としては出力しないことを特徴とする請求項１４記載の子局通信装置。
【請求項２０】
前記端末ＩＤ装置は、
前記第１の受信信号を入力し、その前記第１の受信信号の内容を調べ、前記ＩＤ問合せデータに対する返答パケットである時に、一定時間アクティブとなる返答監視信号を出力する、返答監視装置と、
前記第１の受信信号と、前記返答監視信号とを入力し、前記返答監視信号がアクティブならば、前記第１の受信信号から、前記端末ＩＤデータを作成する、端末ＩＤデータ装置とを備える
ことを特徴とする請求項１３記載の子局通信装置。
【請求項２１】
前記端末ＩＤ装置は、
前記第１の受信信号を入力し、前記端末通信装置のＩＤを取り出し、端末新ＩＤデータとして保存する新ＩＤテーブルと、
所定のタイミングで、前記端末新ＩＤデータと、前記端末ＩＤデータとを比較し、異なっていれば、前記端末新ＩＤデータを、前記端末ＩＤデータとして保存するＩＤテーブルとを備える
ことを特徴とする請求項１３記載の子局通信装置。
【請求項２２】
前記タイミング装置は、
電源投入時、一定時間アクティブとなる電源監視信号を出力する、電源監視装置を備え、
前記電源監視信号を元に、前記タイミング信号を作成することを特徴とする請求項１３記載の子局通信装置。
【請求項２３】
前記第１の通信路は、イーサネット（登録商標）であって、
前記タイミング装置は、
前記第１の受信信号を入力し、前記第１の通信路が動作状態であるか非動作状態であるか判定し、非動作状態から動作状態に変化したとき時、一定時間アクティブとなる通信路監視信号を出力する、通信路監視装置を備え、
前記通信路監視信号を元に、前記タイミング信号を作成することを特徴とする請求項１３記載の子局通信装置。
【請求項２４】
前記第２の通信路は、ＩＥＥＥ８０２．１１規格の技術による無線通信路であって、
前記タイミング装置は、
前記第２の受信信号を入力し、前記親局通信装置とのリンクが確立状態であるか非確立状態であるか判定し、非確立状態から確立状態に変化したとき時、一定時間アクティブとなる通信路監視信号を出力する、通信路監視装置を備え、
前記通信路監視信号を元に、前記タイミング信号を作成することを特徴とする請求項１３記載の子局通信装置。
【請求項２５】
前記タイミング装置は、
一定周期ごとに、一定時間アクティブとなる一定周期信号を出力する、一定周期装置を備え、
前記一定周期信号を元に、前記タイミング信号を作成することを特徴とする請求項１３記載の子局通信装置。
【発明の詳細な説明】
【技術分野】
【０００１】
本発明は、複数の端末通信装置と、複数の子局通信装置と、親局通信装置とからなるネットワークに関するものである。
【背景技術】
【０００２】
従来、複数の端末通信装置と、複数の子局通信装置と、親局通信装置とからなるネットワークに関する技術としては、親局通信装置が、子局通信装置と端末通信装置との接続状況をテーブルに保存し、ある端末通信装置宛ての信号を送信する際、テーブルを参照して、中継する子局通信装置を調べ、その子局通信装置へ宛てて送信するのが一般的である（例えば、特許文献１参照）。図３は、前記特許文献１の図１の部分図であり、従来の、複数の端末通信装置と、複数の子局通信装置と、親局通信装置とからなるネットワークを示すものである。
【０００３】
図３において、１０１は親局通信装置である。１１１と、１２１とは、子局通信装置である。１１２〜１１５は、端末通信装置である。１３０は、ＩＥＥＥ８０２．１１規格の技術による無線通信路である。１１６は、イーサネット（登録商標）の技術による有線通信路である。
【０００４】
前記親局通信装置１０１は、前記無線通信路１３０により、前記子局通信装置１１１及び前記子局通信装置１２１と接続される。
【０００５】
前記子局通信装置１１１は、前記無線通信路１３０により前記親局通信装置１０１と接続され、また、前記有線通信路１１６により前記端末通信装置１１２〜１１５と接続される。
【０００６】
前記子局通信装置１２１は、前記無線通信路１３０により前記親局通信装置１０１と接続される。
【０００７】
図４は、前記特許文献１の図８そのものであり、前記親局通信装置１０１が持つ、子局通信装置と端末通信装置との接続状況を示すテーブルである。
【０００８】
３０１は、エントリーＮｏ.である。３０２は、ノードＭＡＣアドレスであって、端末通信装置のＩＤを意味する。３０３は、ステーションＭＡＣアドレスであって、子局通信装置のＩＤを意味する。
【０００９】
例えば、前記親局通信装置１０１が、前記端末通信装置１１２宛ての信号を受け取った時のことを考える。
【００１０】
前記親局通信装置は、図４のテーブルで、前記ノードＭＡＣアドレス３０２のところで、前記端末通信装置１１２のＩＤ「Ａ１１２」を探し、エントリーＮｏ．１のところに見つける。
【００１１】
次に、そのペアとなる前記ステーションＭＡＣアドレス３０３を調べる。すると、子局通信装置１１１のＩＤである「Ａ１１１」が載っている。
【００１２】
そこで、前記親局通信装置１０１は、受け取った、前記端末通信装置１１２宛ての信号を、前記子局通信装置１１１宛てに転送する。
【００１３】
以上のように、従来、複数の端末通信装置と、複数の子局通信装置と、親局通信装置とからなるネットワークに関する技術があった。
【特許文献１】特開２００２−９４５１６号公報（第４−８頁、図１、８）
【発明の開示】
【発明が解決しようとする課題】
【００１４】
しかしながら、前記従来の構成では、親局通信装置が、子局通信装置と端末通信装置との接続状況を示すテーブルを持つ必要があり、そのために、前記特許文献１では、子局通信装置と端末通信装置との接続状況を学習する過程が記載されているが、その具体的手法が明確にされていないという課題を有していた。
【００１５】
そのため、学習が完了していない状況では、端末通信装置宛ての信号を中継することが出来ないという課題を有していた。
【００１６】
本発明は、前記従来の課題を解決するもので、自動的に、子局通信装置と端末通信装置との接続状況を学習することが可能となる親局通信装置を提供することを目的とする。
【００１７】
また、本発明は、前記従来の課題を解決するもので、自動的に、親局通信装置に、子局通信装置と端末通信装置との接続状況を学習させることが可能となる子局通信装置を提供することを目的とする。
【課題を解決するための手段】
【００１８】
前記従来の課題を解決するために、本発明の通信装置は、第１の通信路により端末通信装置と子局通信装置とが接続され、第２の通信路により親局通信装置と前記子局通信装置とが接続されたネットワークで使用される、前記子局通信装置または前記親局通信装置である通信装置において、送信信号を入力し、前記第１の通信路または前記第２の通信路へ出力し、また、前記第１の通信路または前記第２の通信路から信号を入力し、受信信号として出力する送受信装置と、所定のタイミングで一定時間アクティブとなるタイミング信号を出力する、タイミング装置と、前記タイミング信号を入力し、前記タイミング信号がアクティブならば、ＩＤ問合せデータを前記送信信号として出力する問合せ送信装置を備えることを特徴とする通信装置である。
【００１９】
本構成によって、自動的に、子局通信装置と端末通信装置との接続状況を学習することが可能となる親局通信装置を提供することができるか、もしくは、自動的に、親局通信装置に、子局通信装置と端末通信装置との接続状況を学習させることが可能となる子局通信装置を提供することができる。
【００２０】
また、前記従来の課題を解決するために、本発明の親局通信装置は、通信路により子局通信装置と接続され、また、子局通信装置を介して端末通信装置と接続された、親局通信装置において、送信信号を入力し、前記通信路へ出力し、また、前記通信路から信号を入力し、受信信号として出力する送受信装置と、所定のタイミングで一定時間アクティブとなるタイミング信号を出力する、タイミング装置と、前記タイミング信号を入力し、前記タイミング信号がアクティブならば、ＩＤ問合せデータを前記送信信号として出力する問合せ送信装置と、前記受信信号を入力し、前記端末通信装置のＩＤ及び前記子局通信装置のＩＤを取り出し、ＩＤペアとして保存する、ＩＤペア保存装置とを備えることを特徴とする親局通信装置である。
【００２１】
本構成によって、自動的に、子局通信装置と端末通信装置との接続状況を学習することが可能となる親局通信装置を提供することができる。
【００２２】
また、前記従来の課題を解決するために、本発明の子局通信装置は、第１の通信路により端末通信装置と接続され、第２の通信路により親局通信装置と接続され、第１の送信信号を入力し、前記第１の通信路へ出力し、また、前記第１の通信路から信号を入力し、第１の受信信号として出力する第１の送受信装置と、第２の送信信号を入力し、前記第２の通信路へ出力し、また、前記第２の通信路から信号を入力し、第２の受信信号として出力する第２の送受信装置とを備える子局通信装置において、ＩＤ問合せデータを作成し、前記第１の送信信号として出力するＩＤ問合せ装置と、ＩＤ通知データを作成し、前記第２の送信信号として出力するＩＤ通知装置とを備え、前記ＩＤ問合せ装置は、タイミング信号を出力する、タイミング装置と、前記タイミング信号を入力し、前記タイミング信号がアクティブならば、前記ＩＤ問合せデータを作成する問合せ送信装置とを備え、前記ＩＤ通知装置は、前記第１の受信信号を入力し、前記端末通信装置のＩＤを含む端末ＩＤデータを作成する端末ＩＤ装置と、前記端末ＩＤデータと、自身のＩＤとを入力し、前記端末通信装置のＩＤと前記自身のＩＤとを含む前記ＩＤ通知データを作成する通知作成装置とを備えることを特徴とする子局通信装置である。
【００２３】
本構成によって、自動的に、親局通信装置に、子局通信装置と端末通信装置との接続状況を学習させることが可能となる子局通信装置を提供することができる。
【発明の効果】
【００２４】
本構成の通信装置によれば、自動的に、子局通信装置と端末通信装置との接続状況を学習することが可能となる親局通信装置を提供することができるか、もしくは、自動的に、親局通信装置に、子局通信装置と端末通信装置との接続状況を学習させることが可能となる子局通信装置を提供することができる。
【００２５】
本発明の親局通信装置によれば、自動的に、子局通信装置と端末通信装置との接続状況を学習することが可能となる。
【００２６】
本発明の子局通信装置によれば、自動的に、親局通信装置に、子局通信装置と端末通信装置との接続状況を学習させることが可能となる。
【発明を実施するための最良の形態】
【００２７】
以下本発明の実施の形態について、図面を参照しながら説明する。
【００２８】
（実施の形態１）
図１は、本発明の実施の形態１における複数の端末通信装置と、複数の子局通信装置と、親局通信装置とからなるネットワークの構成図である。図１において、図３と同じ構成要素については同じ符号を用いる。
【００２９】
図１において、１０１は親局通信装置である。１１１と、１２１とは、子局通信装置である。１１２〜１１５は、端末通信装置である。１３０は、ＩＥＥＥ８０２．１１規格の技術による無線通信路である。１１６は、イーサネット（登録商標）の技術による有線通信路である。
【００３０】
これらの接続に関しては、図３と同じであるので説明を省略する。
【００３１】
以下、前記親局通信装置１０１の内部構成である。
【００３２】
２は無線送信信号、４は無線受信信号、５はタイミング信号である。６は、ＩＤ問合せデータである。ここでは、このＩＤ問合せデータ６は、具体的にはＲＡＲＰパケットであるとする。１７は、経由する子局通信端末のＭＡＣアドレスを示す、直接アドレスである。８は、自身のＭＡＣアドレスを示す、自身アドレスである。１９は、最終的に送付する端末通信装置のＭＡＣアドレス候補を示す、最終アドレスである。１０は問合せ信号、１１は子局通信装置アドレス、１２は端末通信装置アドレスである。５２は、前記無線送信信号２を入力し、前記無線通信路１３０へ出力し、また、前記無線通信路１３０から信号を入力し、前記無線受信信号４として出力する無線送受信装置である。５３は、所定のタイミングで一定時間アクティブとなり、アクティブの間は、第１または第２のタイミングを示す、前記タイミング信号５を出力するタイミング装置である。５４は、前記タイミング信号５を入力し、前記タイミング信号５がアクティブであれば、前記ＩＤ問合せデータ６を作成し、前記自身アドレス８及び前記最終アドレス１９を加えて、ＩＥＥＥ８０２．１１規格のフレーム構成とした前記問合せ信号１０を作成し、前記無線送信信号２として出力する問合せ送信装置である。５５は、前記問合せ送信装置５４の内部にあって、前記タイミング信号５を入力し、前記子局通信装置１１１のＭＡＣアドレスと、前記子局通信装置１２１のＭＡＣアドレスとを保持し、前記タイミング信号５が第１のタイミングを示している時、前記子局通信装置１１１のＭＡＣアドレスを、また、前記タイミング信号５が第２のタイミングを示している時、前記子局通信装置１２１のＭＡＣアドレスを、前記直接アドレス１７として出力する、直接アドレス装置である。
【００３３】
５６は、前記問合せ送信装置５４の内部にあって、端末通信装置のＭＡＣアドレス候補を複数保持し、順次、前記最終アドレス１９として出力する最終アドレス装置である。５８は、前記問合せ送信装置５４の内部にあって、前記自身アドレス８と、前記最終アドレス１９とを入力し、前記ＩＤ問合せデータ６を出力するＩＤ問合せデータ装置である。５９は、前記ＩＤ問合せデータ６と、前記直接アドレス１７と、前記最終アドレス１９と、前記自身アドレス８とを入力し、ＩＥＥＥ８０２．１１規格のフレーム構成における、宛先アドレスを前記最終アドレス１９とし、送信局アドレスと送信元アドレスとを前記自身アドレス８とし、受信局アドレスを前記直接アドレス１７とし、データ部を前記ＩＤ問合せデータ６とした、前記問合せ信号１０を出力する、問合せ作成装置である。６０は、前記無線受信信号４を入力し、前記無線受信信号４から前記子局通信装置アドレス１１と、前記端末通信装置アドレス１２とを取り出して、ペアで保存するＩＤペア保存装置である。
【００３４】
６２は、前記無線受信信号４と、前記子局通信装置アドレス１１と前記端末通信装置アドレス１２とのペアとを入力し、前記無線受信信号４を前記無線通信路１３０へ中継する際は、フレームを構成しなおして前記無線送信信号２として出力する中継装置である。この前記中継装置６２の詳細な構成及び動作については、前記特許文献１に詳しいのでここでは省略する。
【００３５】
このように構成された実施の形態１の動作について説明する。
【００３６】
前記親局通信装置１０１は、前記無線通信路１３０により前記子局通信装置１１１，１２１と接続され、また、前記子局通信装置１１１を介して、前記端末通信装置１１２〜１１５と接続される。
【００３７】
前記親局通信装置１０１は、その内部の前記問合せ送信装置５４で、前記端末通信装置１１２〜１１５のＭＡＣアドレスを問合せるための前記ＩＤ問合せデータ６を作成し、前記無線通信路１３０に送出する。それにより、前記親局通信装置１０１は、前記ＩＤ問合せデータ６（ここでは、ＲＡＲＰである。）に対する返答パケットを受け取り、前記無線受信信号４とし、前記ＩＤペア保存装置６０で、前記無線受信信号４から前記端末通信装置１１２〜１１５のＭＡＣアドレスを前記端末通信装置アドレス１２として得て、また、前記子局通信装置１１１のＭＡＣアドレスを前記子局通信装置アドレス１１として得て、前記子局通信装置アドレス１１と、前記端末通信装置アドレス１２とのペアで保存する。
【００３８】
このようにして、本発明の親局通信装置は、自動的に、子局通信装置と端末通信装置との接続状況を学習することが可能となる。そして、子局通信装置と端末通信装置との接続状況を学習した後、本発明の親局通信装置は、例えば、以下のような動作が可能になる。
【００３９】
前記子局通信装置１２１が、前記端末通信装置１１２へ向け、映像データを送信するときのことを考える。
【００４０】
前記親局通信装置は、受け取ったデータを見る。この場合、ＩＥＥＥ８０２．１１規格のフレーム構成における、宛先アドレスは、前記端末通信装置１１２のＭＡＣアドレス、送信局アドレスと送信元アドレスとは、前記子局通信装置１２１のＭＡＣアドレス、受信局アドレスは、前記親局通信装置１０１のＭＡＣアドレスを指している場合が考えられる。この場合、前記親局通信装置１０１は、前記受信局アドレスが自身を指しており、前記宛先アドレスが、前記ＩＤペア保存装置６０に存在している前記端末通信装置１１２のＭＡＣアドレスなので、フレームを構成しなおして前記無線送信信号２として出力することで、前記子局通信装置１１１へ中継する。
【００４１】
このとき、構成しなおしたフレームは、ＩＥＥＥ８０２．１１規格のフレーム構成であって、宛先アドレスは、前記端末通信装置１１２のＭＡＣアドレス、送信局アドレスと送信元アドレスとは、前記親局通信装置１０１のＭＡＣアドレス、受信局アドレスは、前記子局通信装置１１１のＭＡＣアドレスを指している。
【００４２】
なお、前記子局通信装置１２１と、前記端末通信装置１１２との間の通信が双方向通信であって、前記端末通信装置１１２が再生、停止、早送り、巻き戻しなどのコマンドを投げることから一連の通信が開始される場合は、本発明の構成をとらずとも、自動的に前記親局通信装置１０１に前記子局通信装置１２１と、前記端末通信装置１１２とのＩＤをペアで保持することが可能である。
【００４３】
そこで、本発明は、前記子局通信装置１２１と、前記端末通信装置１１２との間の通信が、前記子局通信装置１２１から、前記端末通信装置１１２への方向の単方向通信であって、前記端末通信装置１１２は、映像データを受信するのみで、再生、停止、早送り、巻き戻しなどのコマンドを投げない場合に、特に効果を発揮する。しかし、本発明は、単方向通信の場合に限定されるものではない。双方向であっても、例えば、前記子局通信装置１２１が、前記端末通信装置１１２の電源を起動することから一連の通信が開始される場合など、前記子局通信装置１２１の側から一連の通信が開始される場合にも、本発明の技術が不可欠となる。
【００４４】
また、前記子局通信装置１２１と、前記端末通信装置１１２との間の通信が双方向通信であっても、ユニキャストでなく、ブロードキャストやマルチキャストの技術によって、前記子局通信装置１２１が、前記端末通信装置１１２へ向け、映像データを送信している場合は、映像データは流しっぱなしとなり、前記端末通信装置１１２は、ＡＣＫを返さないのが一般的である。そうすると、何らかの原因（タイムアウトなど）で前記親局通信装置１０１の前記ＩＤペア保存装置６０がクリアされた場合、従来技術では復旧が出来なくなる。この場合も、本発明の技術が不可欠となる。
【００４５】
このように、ネットワークの安全性を考慮すると、前記子局通信装置１２１と、前記端末通信装置１１２との間の通信が双方向通信であっても、本発明の技術が不可欠となる。
【００４６】
なお、前記端末通信装置１１２がＤＨＣＰ端末であり、ＤＨＣＰモードで動作する場合は、起動時にＩＰアドレスを取得する際、本発明の構成をとらずとも、自動的に前記親局通信装置１０１に前記子局通信装置１２１と、前記端末通信装置１１２とのＩＤをペアで保持することが可能である。そこで、本発明は、前記端末通信装置１１２がＤＨＣＰ端末でない場合に、特に効果を発揮する。しかし、本発明は、その場合に限定されるものではない。
【００４７】
前記端末通信装置１１２がＤＨＣＰ端末であっても、通常はＩＰ固定モードも用意される。システムの柔軟性を考慮に入れ、あらゆるモードに対応しようとすれば、本発明の技術が不可欠となる。
【００４８】
この実施の形態１においては、前記無線通信路１３０は、ＩＥＥＥ８０２．１１規格の技術による無線通信路とし、前記有線通信路１１６は、イーサネット（登録商標）の技術による有線通信路であるとしたが、そうでなくともよい。また、有線/無線に限定されるものではない。
【００４９】
この実施の形態１においては、ＩＤとしてＭＡＣアドレスを使用したがそうでなくてもよい。この実施の形態１では、前記無線通信路１３０は、ＩＥＥＥ８０２．１１規格の技術による無線通信路とし、ＩＥＥＥ８０２．１１規格でＭＡＣアドレスがＩＤとして用いられているから、ＩＤとしてＭＡＣアドレスを使用した。他の規格で他のＩＤが用いられる場合は、そのＩＤを用いればよい。
【００５０】
この実施の形態１においては、前記問合せ信号１０のデータ部として、ＲＡＲＰパケットを利用したが、そうでなくてもよい。
【００５１】
この実施の形態１では、ＩＤとしてＭＡＣアドレスを使用し、また、前記有線通信路１１６は、イーサネット（登録商標）の技術による有線通信路であるとしたので、イーサネット（登録商標）でＭＡＣアドレスが分かっている端末に対しＩＰアドレスを問い合わせる際に使用するＲＡＲＰパケットを使用した。しかし、そうでなくともよい。ＩＤを含む返答が返るものであればよい。
【００５２】
イーサネット（登録商標）でＩＰアドレスが分かっている端末に対しＭＡＣアドレスを問い合わせる際に使用するＡＲＰパケットを使用してもよい。ＰＩＮＧでもよい。ＡＲＰを使用する構成であっても、ＰＩＮＧを使用する構成であっても、また、その他の機構によりＩＤを含む返答を求めるものであっても、本特許に含まれる。
【００５３】
この実施の形態１においては、経由先を示す直接アドレス１７として、子局通信装置のＭＡＣアドレスを用いたが、そうでなくてもよい。例えば、ブロードキャストアドレスを用いてもよい。その場合でも、自動的に、子局通信装置と端末通信装置との接続状況を学習することが可能であり、この構成もまた、本特許に含まれる。
【００５４】
この実施の形態１のように、経由先を示す直接アドレスとして、子局通信装置のＭＡＣアドレスを用いた場合、ブロードキャストの場合と違って、無線通信路区間で誤りのため届かなかった場合に再送制御が可能であるため、より確実に、自動的に、子局通信装置と端末通信装置との接続状況を学習することが可能となる。この構成もまた、本特許に含まれる。
【００５５】
この実施の形態１においては、子局通信装置の数を２台とした。そこで、前記タイミング信号５が、第1、第２の２種類のタイミングを示すものとしたが、台数が何台であってもよく、その台数分以上の種類のタイミングがあればよい。
【００５６】
前記直接アドレス１７として、ブロードバンドアドレス（ＩＤとしてＭＡＣアドレスを使用する場合は、オールＦのブロードバンドＭＡＣアドレス）を使用する場合は、前記タイミング信号５は、１種類のタイミングを示すものでもよい。
【００５７】
この実施の形態１においては、前記最終アドレス装置５６が、最終的に送付する端末通信装置のＭＡＣアドレス候補を示す、前記最終アドレス１９を出力する。前記最終アドレス１９は、手動で前記最終アドレス装置５６に登録できる構成にしてもよい。その場合、予めＭＡＣアドレスが分かっている場合は、正しく登録することで、無駄なトラヒックを抑えつつ、自動的に、子局通信装置と端末通信装置との接続状況を学習することが可能となる。この構成もまた、本特許に含まれる。また、以下のような構成にしてもよい。
【００５８】
前記最終アドレス装置５６は、前記無線受信信号４と、前記自身アドレス８と、前記ＩＤペア保存装置６０が保存する前記端末通信装置アドレス１２と前記子局通信装置アドレス１１とを入力し、前記無線受信信号４に含まれる最終アドレスが、前記端末通信装置アドレス１２ではなく、前記子局通信装置アドレス１１でもなく、前記自身アドレス８でもない時、前記無線受信信号の前記最終アドレスを、前記端末通信装置のＩＤ候補とする。このようにすれば、最終的に送付する端末通信装置が不明な無線受信信号を受け取って即座に、その端末通信装置と子局通信装置との接続状況を学習することが可能となる。この構成もまた、本特許に含まれる。
【００５９】
なお、前記ＩＤ問合せデータ装置５８は、前記端末通信装置のＩＰアドレス候補を複数個保持する、端末候補テーブルと、前記ＩＰアドレス候補を入力し、その全てへ宛てて、ＡＲＰパケットを作成する、ＡＲＰ作成装置とで構成することが出来る。この場合、前記ＩＤ問合せデータ６は、ＡＲＰパケットとなる。この構成もまた、本特許に含まれる。
【００６０】
前記端末候補テーブルへの前記端末通信装置のＩＰアドレス候補の登録は、手動で行ってもよい。その場合、予めＩＰアドレスが分かっている場合は、正しく登録することで、無駄なトラヒックを抑えつつ、自動的に、子局通信装置と端末通信装置との接続状況を学習することが可能となる。この構成もまた、本特許に含まれる。
【００６１】
前記ＩＤ問合せデータ装置５８は、前記子局通信装置自身のサブネットマスクを保持する、サブネットマスクテーブルと、前記サブネットマスクを入力し、その傘下のＩＰアドレス全てへ宛てて、ＡＲＰパケットを作成する、ＡＲＰ作成装置とで構成することも出来る。この場合も、前記ＩＤ問合せデータ６は、ＡＲＰパケットとなる。この構成によれば、前記端末通信装置の接続状況が変化した場合にも、自動的に、子局通信装置と端末通信装置との接続状況を学習することが可能となる。この構成もまた、本特許に含まれる。
【００６２】
この実施の形態１においては、タイミング装置５３は、一定周期で一定時間アクティブとなる、前記タイミング信号５を出力する。それにより、前記子局通信装置と前記端末通信装置との接続状況が変化した場合にも、即座にその変化を知ることが出来る。だが、そうでなくともよい。
【００６３】
例えば、電源投入時、一定時間アクティブとなる電源監視信号を作成し、これを元に前記タイミング信号５を作成してもよい。その場合、電源投入時、即座に前記端末通信装置の接続状況を知ることが出来る。この構成もまた、本特許に含まれる。また、前記無線受信信号４を入力し、前記子局通信装置１１１及び１２１とのリンクが確立状態であるか非確立状態であるか判定し、前記子局通信装置１１１とのリンクが非確立状態から確立状態に変化したとき時、前記第１のタイミングを示し、前記子局通信装置１２１とのリンクが非確立状態から確立状態に変化したとき時、前記第２のタイミングを示す通信路監視信号を作成し、これを元に前記タイミング信号５を作成してもよい。この、リンクが確立状態というのは、ここでは、ＩＥＥＥ８０２．１１規格に基づいた初期化シーケンスが完了している状態を示す。この構成であれば、リンクが確立した時、即座にそのリンクが確立した前記子局通信装置と、前記端末通信装置との接続状況を知ることが出来る。この構成もまた、本特許に含まれる。
【００６４】
また、以下のように構成できる。
【００６５】
前記タイミング装置５３は、前記無線受信信号４と、前記自身アドレス８と、前記ＩＤペア保存装置６０が保存する前記端末通信装置アドレス１２と前記子局通信装置アドレス１１とを入力し、前記無線受信信号４に含まれる最終アドレスが、前記端末通信装置アドレス１２ではなく、前記子局通信装置アドレス１１でもなく、前記自身アドレス８でもない時、一定時間アクティブとなる通信路監視信号を出力する、通信路監視装置を備え、前記通信路監視信号を元に、前記問合せタイミング信号を作成する。このようにすれば、最終的に送付する端末通信装置が不明な無線受信信号を受け取って即座に、その端末通信装置と子局通信装置との接続状況を学習することが可能となる。これらの、前記タイミング信号５を作成する方法は、組み合わせて使用してもよい。
【００６６】
この実施の形態１においては、前記問合せ作成装置５９は、前記ＩＤ問合せデータ６と、前記直接アドレス１７と、前記最終アドレス１９と、前記自身アドレス８とを入力し、ＩＥＥＥ８０２．１１規格のフレーム構成における、宛先アドレスを前記最終アドレス１９とし、送信局アドレスと送信元アドレスとを前記自身アドレス８とし、受信局アドレスを前記直接アドレス１７とし、データ部を前記ＩＤ問合せデータ６とした、前記問合せ信号１０を出力するものとした。これは、前記直接アドレス１７で示される前記子局通信装置経由で、前記最終アドレス１９で示される前記端末装置へ前記問合せ信号１０を送るにあたって、前記子局通信装置が、特に複雑な機構なしに、ＩＥＥＥ８０２．１１規格に準拠していれば対応できるように構成したものである。しかし、そうでなくてもよい。
【００６７】
例えば、宛先アドレスを前記直接アドレス１７とし、送信元アドレスを前記自身アドレス８としてもよい。前記子局通信装置が、ＩＤの問合せを受ければ、調査して返答する構成になっていれば、前記親局通信装置１０１は返答を受けることが出来る。この構成もまた、本特許に含まれる。なお、ＩＥＥＥ８０２．１１規格におけるアドレスの名称は、ＩＤＧジャパン発行、松江英明・守倉正博監修、「８０２．１１高速無線ＬＡＮ教科書」の６２ページ表３−１３に従っているが、本特許は名称に左右されるものではない。
【００６８】
本発明の親局通信装置は、これら詳細に関わらず、通信路により子局通信装置と接続され、また、子局通信装置を介して端末通信装置と接続された、親局通信装置において、送信信号を入力し、前記通信路へ出力し、また、前記通信路から信号を入力し、受信信号として出力する送受信装置と、所定のタイミングで一定時間アクティブとなるタイミング信号を出力する、タイミング装置と、前記タイミング信号を入力し、前記タイミング信号がアクティブならば、ＩＤ問合せデータを前記送信信号として出力する問合せ送信装置と、前記受信信号を入力し、前記端末通信装置のＩＤ及び前記子局通信装置のＩＤを取り出し、ＩＤペアとして保存する、ＩＤペア保存装置とを備えることを特徴とする親局通信装置であり、本構成によって、自動的に、子局通信装置と端末通信装置との接続状況を学習することが可能となる親局通信装置を提供することができる。
【００６９】
（実施の形態２）
図２は、本発明の実施の形態２における複数の端末通信装置と、複数の子局通信装置と、親局通信装置とからなるネットワークの構成図である。図２において、図３と同じ構成要素や、図１と同じ構成要素については同じ符号を用いる。
【００７０】
図２において、１０１は親局通信装置である。なお、この親局通信装置１０１は、実施の形態１で説明した構成であっても構わないし、従来の構成であっても構わない。
【００７１】
１１１と、１２１とは、子局通信装置である。１１２〜１１５は、端末通信装置である。
【００７２】
１３０は、ＩＥＥＥ８０２．１１規格の技術による無線通信路である。１１６は、イーサネット（登録商標）の技術による有線通信路である。
【００７３】
これらの接続に関しては、図３と同じであるので説明を省略する。
【００７４】
以下、前記子局通信装置１１１の内部構成である。
【００７５】
１は有線送信信号、２は無線送信信号、３は有線受信信号、４は無線受信信号、５はタイミング信号、７は端末ＩＤデータ、９は返答監視信号、２０はＩＤ通知データである。
【００７６】
６は、ＩＤ問合せデータである。ここでは、このＩＤ問合せデータ６は、具体的にはＡＲＰパケットであるとする。８は、自身のＭＡＣアドレスを示す、自身アドレスである。１１は、前記親局通信装置１０１のＭＡＣアドレスを示す、親局アドレスである。５１は、前記有線送信信号１を入力し、前記有線通信路１１６へ出力し、また、前記有線通信路１１６から信号を入力し、前記有線受信信号３として出力する有線送受信装置である。
【００７７】
５２は、前記無線送信信号２を入力し、前記無線通信路１３０へ出力し、また、前記無線通信路１３０から信号を入力し、前記無線受信信号４として出力する無線送受信装置である。８０は、前記ＩＤ問合せデータ６を、前記有線送信信号１として出力するＩＤ問合せ装置である。５３は、前記ＩＤ問合せ装置８０の内部にあって、一定周期で一定時間アクティブとなる、前記タイミング信号５を出力するタイミング装置である。８１は、前記ＩＤ問合せ装置８０の内部にあって、前記タイミング信号５を入力し、前記タイミング信号５がアクティブであれば、前記ＩＤ問合せデータ６を作成する問合せ送信装置である。
【００７８】
７０は、前記有線受信信号３を入力し、前記ＩＤ通知データ２０を作成し、前記無線送信信号２として出力するＩＤ通知装置である。７１は、前記ＩＤ通知装置７０の内部にあって、前記有線受信信号３を入力し、前記端末ＩＤデータ７を出力する端末ＩＤ装置である。７３は、前記端末ＩＤ装置７１の内部にあって、前記有線受信信号３を入力し、その内容を調べ、ＡＲＰの返答パケットである時に、一定時間アクティブとなる前記返答監視信号９を出力する返答監視装置である。７４は、前記端末ＩＤ装置７１の内部にあって、前記有線受信信号３と、前記返答監視信号９とを入力し、前記返答監視信号９がアクティブならば、前記有線受信信号３をそのまま前記端末ＩＤデータ７として出力する端末ＩＤデータ装置である。７５は、前記ＩＤ通知装置７０の内部にあって、前記端末ＩＤデータ７と、前記自身アドレス８と、前記親局アドレス１１とを入力し、ＩＥＥＥ８０２．１１規格のフレーム構成における、宛先アドレスを前記親局アドレス１１とし、送信元アドレスを前記自身アドレス８とし、データ部を前記端末ＩＤデータ７とした、前記ＩＤ通知データ２０を作成する通知作成装置である。
【００７９】
このように構成された実施の形態２の動作について説明する。
【００８０】
前記子局通信装置１１１は、前記有線通信路１１６により前記端末通信装置１１２〜１１５と接続され、前記無線通信路１３０により前記親局通信装置１０１と接続される。前記子局通信装置１１１は、その内部の前記ＩＤ問合せ装置８０で、前記端末通信装置１１２〜１１５のＭＡＣアドレスを問合せるための前記ＩＤ問合せデータ６を作成し、前記有線通信路１１６に送出する。それにより、前記子局通信装置１１１は、その内部の前記ＩＤ通知装置７０内部の端末ＩＤ装置７１で、前記有線受信信号３から前記端末通信装置１１２〜１１５のＭＡＣアドレスをイーサネット（登録商標）フレーム上のソースアドレスとして格納された前記端末ＩＤデータ７として得る。そして、前記ＩＤ通知装置７０内部の前記通知作成装置７５により、前記自身アドレス８と共に、前記親局通信装置１０１へ、前記無線通信路１３０により送出する。
【００８１】
このようにして、本発明の子局通信装置は、自動的に、親局通信装置に、子局通信装置と端末通信装置との接続状況を学習させることが可能となる。そして、子局通信装置と端末通信装置との接続状況を学習した後、前記親局通信装置１０１は、例えば、以下のような動作が可能になる。
【００８２】
前記子局通信装置１２１が、前記端末通信装置１１２へ向け、映像データを送信するときのことを考える。前記親局通信装置は、受け取ったデータを見る。この場合、ＩＥＥＥ８０２．１１規格のフレーム構成における、宛先アドレスは、前記端末通信装置１１２のＭＡＣアドレス、送信局アドレスと送信元アドレスとは、前記子局通信装置１２１のＭＡＣアドレス、受信局アドレスは、前記親局通信装置１０１のＭＡＣアドレスを指している場合が考えられる。
【００８３】
この場合、前記親局通信装置１０１は、前記受信局アドレスが自身を指しており、前記宛先アドレスが、既に、子局通信装置と端末通信装置との接続状況を学習した、前記端末通信装置１１２のＭＡＣアドレスなので、フレームを構成しなおして、前記無線通信路１３０へ出力することで、前記子局通信装置１１１へ中継する。このとき、構成しなおしたフレームは、ＩＥＥＥ８０２．１１規格のフレーム構成であって、宛先アドレスは、前記端末通信装置１１２のＭＡＣアドレス、送信局アドレスと送信元アドレスとは、前記親局通信装置１０１のＭＡＣアドレス、受信局アドレスは、前記子局通信装置１１１のＭＡＣアドレスを指している。
【００８４】
なお、前記子局通信装置１２１と、前記端末通信装置１１２との間の通信が双方向通信であって、前記端末通信装置１１２が再生、停止、早送り、巻き戻しなどのコマンドを投げることから一連の通信が開始される場合は、本発明の構成をとらずとも、自動的に前記親局１０１に前記子局通信装置１２１と、前記端末通信装置１１２とのＩＤをペアで保持することが可能である。そこで、本発明は、前記子局通信装置１２１と、前記端末通信装置１１２との間の通信が、前記子局通信装置１２１から、前記端末通信装置１１２への方向の単方向通信であって、前記端末通信装置１１２は、映像データを受信するのみで、再生、停止、早送り、巻き戻しなどのコマンドを投げない場合に、特に効果を発揮する。しかし、本発明は、単方向通信の場合に限定されるものではない。
【００８５】
双方向であっても、例えば、前記子局通信装置１２１が、前記端末通信装置１１２の電源を起動することから一連の通信が開始される場合など、前記子局通信装置１２１の側から一連の通信が開始される場合にも、本発明の技術が不可欠となる。また、前記子局通信装置１２１と、前記端末通信装置１１２との間の通信が双方向通信であっても、ユニキャストでなく、ブロードキャストやマルチキャストの技術によって、前記子局通信装置１２１が、前記端末通信装置１１２へ向け、映像データを送信している場合は、映像データは流しっぱなしとなり、前記端末通信装置１１２は、ＡＣＫを返さないのが一般的である。そうすると、何らかの原因（タイムアウトなど）で前記親局通信装置１０１の、子局通信装置と端末通信装置との接続状況を学習した結果がクリアされた場合、従来技術では復旧が出来なくなる。この場合も、本発明の技術が不可欠となる。
【００８６】
このように、ネットワークの安全性を考慮すると、前記子局通信装置１２１と、前記端末通信装置１１２との間の通信が双方向通信であっても、本発明の技術が不可欠となる。
【００８７】
なお、前記端末通信装置１１２がＤＨＣＰ端末であり、ＤＨＣＰモードで動作する場合は、起動時にＩＰアドレスを取得する際、本発明の構成をとらずとも、自動的に前記親局１０１に前記子局通信装置１２１と、前記端末通信装置１１２とのＩＤをペアで保持することが可能である。そこで、本発明は、前記端末通信装置１１２がＤＨＣＰ端末でない場合に、特に効果を発揮する。
【００８８】
しかし、本発明は、その場合に限定されるものではない。前記端末通信装置１１２がＤＨＣＰ端末であっても、通常はＩＰ固定モードも用意される。システムの柔軟性を考慮に入れ、あらゆるモードに対応しようとすれば、本発明の技術が不可欠となる。
【００８９】
この実施の形態２においては、前記無線通信路１３０は、ＩＥＥＥ８０２．１１規格の技術による無線通信路とし、前記有線通信路１１６は、イーサネット（登録商標）の技術による有線通信路であるとしたが、そうでなくともよい。また、有線/無線に限定されるものではない。
【００９０】
この実施の形態２においては、ＩＤとしてＭＡＣアドレスを使用したがそうでなくてもよい。この実施の形態２では、前記無線通信路１３０は、ＩＥＥＥ８０２．１１規格の技術による無線通信路とし、ＩＥＥＥ８０２．１１規格でＭＡＣアドレスがＩＤとして用いられているから、ＩＤとしてＭＡＣアドレスを使用した。他の規格で他のＩＤが用いられる場合は、そのＩＤを用いればよい。
【００９１】
この実施の形態２においては、前記ＩＤ問合せデータ６として、ＡＲＰパケットを利用したが、そうでなくてもよい。
【００９２】
この実施の形態２では、ＩＤとしてＭＡＣアドレスを使用し、また、前記有線通信路１１６とは、イーサネット（登録商標）の技術による有線通信路であるとしたので、イーサネット（登録商標）でＭＡＣアドレスを問い合わせる際に使用するＡＲＰパケットを使用した。しかし、そうでなくともよい。例えば、ＩＤとしてＩＰアドレスを使用する場合、ＩＤを問い合わせるために、ＲＡＲＰを使用することが出来る。ＲＡＲＰを使用する構成であっても、また、その他の機構によりＩＤを問い合わせるものであっても、本特許に含まれる。また、前記ＩＤ問合せデータ６は、ＩＤを含む返答が返るものであれば、ＩＤを問い合わせるためのものでなくともよい。例えば、ＰＩＮＧでもよい。ＰＩＮＧを使用する構成であっても、また、その他の機構によりＩＤを含む返答を求めるものであっても、本特許に含まれる。
【００９３】
なお、前記ＩＤ通知装置７０は、ＡＲＰの返答パケットを利用したが、そうでなくてもよい。この実施の形態２においては、前記ＩＤ問合せデータ６をＡＲＰパケットとしたので、ＡＲＰの返答パケットを利用した。例えば、前記ＩＤ問合せデータ６がＲＡＲＰであれば、ＲＡＲＰの返答パケットを利用すればよい。その構成であっても、また、その他のものであっても、前記ＩＤ問合せデータ６に対する返答を利用するものであっても、本特許に含まれる。
【００９４】
通常、ＡＲＰパケットは、あらゆる通信路へ向け送出されるものであるが、この実施の形態２においては、前記有線通信路１１６へのみ送出されるよう構成した。しかし、そうでなくともよい。前記無線通信路１３０へも送出されるよう構成しても、本発明の子局通信装置によれば、自動的に、親局通信装置に、子局通信装置と端末通信装置との接続状況を学習させることが可能となる。このように、ＡＲＰパケットが、あらゆる通信路へ向け送出されるものであっても、本特許に含まれる。
【００９５】
しかし、この実施の形態２のように、前記有線通信路１１６へのみ送出されるよう構成すれば、前記無線通信路１３０の無駄なトラヒックを抑えつつ、自動的に、親局通信装置に、子局通信装置と端末通信装置との接続状況を学習させることが可能となる。このように、前記端末通信装置と接続している通信路にのみ、ＩＤを問い合わせる構成もまた、本特許に含まれる。
【００９６】
この実施の形態２においては、前記端末ＩＤデータ装置７４は、前記返答監視信号９がアクティブならば、前記有線受信信号３をそのまま前記端末ＩＤデータ７として出力するものとした。これは、前記返答監視信号９がアクティブならば、前記有線受信信号３は、ＡＲＰの返答パケットであるから、イーサネット（登録商標）フレーム上のソースアドレスに前記端末通信装置のＭＡＣアドレスが入っているため、前記有線受信信号３をそのまま前記端末ＩＤデータ７として出力すれば、前記親局通信装置１０１に、前記端末通信装置のＭＡＣアドレスを知らせることが出来るからである。
【００９７】
しかし、この構成では、前記ＩＤ通知データ２０のＩＥＥＥ８０２．１１規格フレーム構成におけるデータ部（これは、即ち前記端末ＩＤデータ７である。また、これは即ち前記有線受信信号３であり、ＡＲＰの返答パケットである。）の、イーサネット（登録商標）フレーム上のディスティネーションアドレスは、前記自身アドレス８となり、前記ＩＤ通知データ２０のＩＥＥＥ８０２．１１規格フレーム構成における送信元アドレスと一致する。もしも、前記親局通信装置１０１が、ＩＥＥＥ８０２．１１規格フレーム構成における送信元アドレスと、ＩＥＥＥ８０２．１１規格フレーム構成におけるデータ部のイーサネット（登録商標）フレーム上のディスティネーションアドレスが一致している信号を破棄する構成となっていた場合、この前記ＩＤ通知データ２０は、前記親局通信装置１０１に受け取ってもらえなくなる。
【００９８】
そこで、前記端末ＩＤデータ装置７４を、以下の構成としてもよい。
【００９９】
前記端末ＩＤデータ装置７４は、前記返答監視信号９がアクティブならば、前記有線受信信号３のイーサネット（登録商標）フレーム上のディスティネーションアドレスを、前記自身アドレス８から、前記親局アドレス１１に書き換え、それを前記端末ＩＤデータ７として出力する。こうすることで、前記親局通信装置１０１が、ＩＥＥＥ８０２．１１規格フレーム構成における送信元アドレスと、ＩＥＥＥ８０２．１１規格フレーム構成におけるデータ部のイーサネット（登録商標）フレーム上のディスティネーションアドレスが一致している信号を破棄する構成となっていた場合においても、自動的に、親局通信装置に、子局通信装置と端末通信装置との接続状況を学習させることが可能となる。この構成もまた、本特許に含まれる。
【０１００】
なお、前記問合せ送信装置８１は、前記端末通信装置のＩＰアドレス候補を複数個保持する、端末候補テーブルと、前記ＩＰアドレス候補を入力し、その全てへ宛てて、ＡＲＰパケットを作成する、ＡＲＰ作成装置とで構成することが出来る。この構成もまた、本特許に含まれる。前記端末候補テーブルへの前記端末通信装置のＩＰアドレス候補の登録は、手動で行ってもよい。その場合、予めＩＰアドレスが分かっている場合は、正しく登録することで、無駄なトラヒックを抑えつつ、自動的に、親局通信装置に、子局通信装置と端末通信装置との接続状況を学習させることが可能となる。この構成もまた、本特許に含まれる。
【０１０１】
また、前記問合せ送信装置８１は、前記子局通信装置自身のサブネットマスクを保持する、サブネットマスクテーブルと、前記サブネットマスクを入力し、その傘下のＩＰアドレス全てへ宛てて、ＡＲＰパケットを作成する、ＡＲＰ作成装置とで構成することも出来る。それにより、前記端末通信装置の接続状況が変化した場合にも、自動的に、親局通信装置に、子局通信装置と端末通信装置との接続状況を学習させることが可能となる。この構成もまた、本特許に含まれる。
【０１０２】
この実施の形態２においては、前記ＩＤ通知装置７０は、ＡＲＰの返答パケットを受けるたびに、前記親局通信装置１０１へ、ＩＤを通知する構成とした。この場合、前記親局通信装置１０１側で、ＩＤの追加や削除といった作業が必要となる。しかしそうでなくともよい。例えば、以下の構成で実現できる。
【０１０３】
前記ＩＤ通知装置７０は、前記有線受信信号３を入力し、前記端末通信装置のＩＤを取り出し、端末新ＩＤとして保存する新ＩＤテーブルと、所定のタイミングで、前記端末新ＩＤと、端末ＩＤとを比較し、異なっていれば、前記端末新ＩＤを、前記端末ＩＤとして保存するＩＤテーブルとを備えるよう構成することも出来る。この時、ＩＤテーブルの内容変化の有無に関わらず、前記親局通信装置へ通知する構成としてもよい。前記親局通信装置側で、ＩＤの追加や削除といった煩わしい作業なしに、一括でテーブル書き換えという簡単な作業で済ますことが出来る。つまり、前記親局通信装置の処理を小さく抑えつつ、自動的に、親局通信装置に、子局通信装置と端末通信装置との接続状況を学習させることが可能となる。この構成もまた、本特許に含まれる。或いは、ＩＤテーブルの内容が変化したときのみ前記親局通信装置へ前記端末ＩＤを送出する構成としてもよい。そうすれば、前記子局通信装置と、前記端末通信装置との接続状況が変化したときのみ、前記親局通信装置へ通知することが出来るので、無駄なトラヒックを抑えつつ、自動的に、親局通信装置に、子局通信装置と端末通信装置との接続状況を学習させることが可能となる。この構成もまた、本特許に含まれる。
【０１０４】
前記ＩＤ通知装置７０が前記ＩＤ通知データを作成するタイミングに関連して、以下のような構成としてもよい。例えば、前記子局通信装置１１１は、前記無線受信信号４を入力し、前記親局通信装置１０１とのリンクが確立状態であるか非確立状態であるか判定し、非確立状態から確立状態に変化したとき時、一定時間アクティブとなる通信路監視信号を出力する、通信路監視装置を備え、前記ＩＤ通知装置７０は、前記通信路監視信号を入力し、前記通信路監視信号がアクティブならば、前記ＩＤ通知データを作成するという構成でもよい。このように構成することで、前記子局通信装置１１１が、前記親局通信装置１０１と通信可能となって即座に前記親局通信装置へ通知することが出来る。この構成もまた、本特許に含まれる。
【０１０５】
また、以下の構成でも実現できる。
【０１０６】
前記子局通信装置１１１は、一定周期ごとに、一定時間アクティブとなる一定周期信号を出力する、一定周期装置を備え、前記ＩＤ通知装置７０は、前記一定周期信号を入力し、前記一定周期信号がアクティブならば、前記ＩＤ通知データを作成する。それにより、前記端末通信装置の接続状況が変化した場合にも、自動的に、親局通信装置に、子局通信装置と端末通信装置との接続状況を学習させることが可能となる。この構成もまた、本特許に含まれる。これら、前記ＩＤ通知装置７０が前記ＩＤ通知データを作成するタイミングは、組み合わせて使用してもよい。
【０１０７】
この実施の形態２においては、タイミング装置５３は、一定周期で一定時間アクティブとなる、前記タイミング信号５を出力する。それにより、前記端末通信装置の接続状況が変化した場合にも、即座にその変化を知ることが出来る。だが、そうでなくともよい。例えば、電源投入時、一定時間アクティブとなる電源監視信号を作成し、これを元に前記タイミング信号５を作成してもよい。その場合、電源投入時、即座に前記端末通信装置の接続状況を知ることが出来る。この構成もまた、本特許に含まれる。
【０１０８】
また、前記有線受信信号３を入力し、前記有線通信路１１６が動作状態であるか非動作状態であるか判定し、非動作状態から動作状態に変化したとき時、一定時間アクティブとなる通信路監視信号を作成し、これを元に前記タイミング信号５を作成してもよい。この、有線通信路が動作状態というのは、ここでは、イーサネット（登録商標）のリンクが張れている状態を示す。この構成であれば、前記有線通信路１１６が動作状態に変化した時、即座に前記端末通信装置の接続状況を知ることが出来る。この構成もまた、本特許に含まれる。
【０１０９】
また、前記無線受信信号４を入力し、前記親局通信装置１０１とのリンクが確立状態であるか非確立状態であるか判定し、非確立状態から確立状態に変化したとき時、一定時間アクティブとなる通信路監視信号を作成し、これを元に前記タイミング信号５を作成してもよい。この、前記親局通信装置１０１とのリンクが確立状態というのは、ここでは、ＩＥＥＥ８０２．１１規格に基づいた初期化シーケンスが完了している状態を示す。この構成であれば、前記親局通信装置１０１とのリンクが確立した時、即座に前記端末通信装置の接続状況を知ることが出来る。この構成もまた、本特許に含まれる。これらの、前記タイミング信号５を作成する方法は、組み合わせて使用してもよい。
【０１１０】
この実施の形態２においては、ＩＥＥＥ８０２．１１規格のフレーム構成を採用し、ＩＥＥＥ８０２．１１規格における、宛先アドレスと、送信元アドレスとを使用した。しかし、そうでなくてもよい。ＩＥＥＥ８０２．１１規格には、４種類のアドレスが存在する。ＩＤＧジャパン発行、松江英明・守倉正博監修、「８０２．１１高速無線ＬＡＮ教科書」の６２ページ表３−１３表記の名称における、宛先アドレス、送信元アドレスが、それぞれ、本特許における同名のアドレスを指すが、その他のアドレスを使用してもよい。例えば、同表の、受信局アドレス、送信局アドレスを、それぞれ、本特許における、宛先アドレス、送信元アドレスとし、同表の、宛先アドレス、送信元アドレスを、それぞれ、本特許における、前記子局通信装置１２１のアドレス、送信元アドレス、とすれば、前記親局通信装置１０１のみならず、前記子局通信装置１２１へも、ＩＤを通知することが可能となる。この構成もまた、本特許に含まれる。他の構成であっても、前記親局通信装置１０１へＩＤを通知することが可能であればよい。また、ＩＥＥＥ８０２．１１規格以外のフレーム構成を採用しても、前記親局通信装置１０１へＩＤを通知することが可能であればよい。
【０１１１】
本発明の子局通信装置は、これら詳細に関わらず、第１の通信路により端末通信装置と接続され、第２の通信路により親局通信装置と接続され、第１の送信信号を入力し、前記第１の通信路へ出力し、また、前記第１の通信路から信号を入力し、第１の受信信号として出力する第１の送受信装置と、第２の送信信号を入力し、前記第２の通信路へ出力し、また、前記第２の通信路から信号を入力し、第２の受信信号として出力する第２の送受信装置とを備える子局通信装置において、ＩＤ問合せデータを作成し、前記第１の送信信号として出力するＩＤ問合せ装置と、ＩＤ通知データを作成し、前記第２の送信信号として出力するＩＤ通知装置とを備え、前記ＩＤ問合せ装置は、タイミング信号を出力する、タイミング装置と、前記タイミング信号を入力し、前記タイミング信号がアクティブならば、前記ＩＤ問合せデータを作成する問合せ送信装置とを備え、前記ＩＤ通知装置は、前記第１の受信信号を入力し、前記端末通信装置のＩＤを含む端末ＩＤデータを作成する端末ＩＤ装置と、前記端末ＩＤデータと、自身のＩＤとを入力し、前記端末通信装置のＩＤと前記自身のＩＤとを含む前記ＩＤ通知データを作成する通知作成装置とを備えることを特徴とする子局通信装置であり、本発明の子局通信装置によれば、自動的に、親局通信装置に、子局通信装置と端末通信装置との接続状況を学習させることが可能となる。
【０１１２】
以上のように、本発明の通信装置は、第１の通信路により端末通信装置と子局通信装置とが接続され、第２の通信路により親局通信装置と前記子局通信装置とが接続されたネットワークで使用される、前記子局通信装置または前記親局通信装置である通信装置において、送信信号を入力し、前記第１の通信路または前記第２の通信路へ出力し、また、前記第１の通信路または前記第２の通信路から信号を入力し、受信信号として出力する送受信装置と、所定のタイミングで一定時間アクティブとなるタイミング信号を出力する、タイミング装置と、前記タイミング信号を入力し、前記タイミング信号がアクティブならば、ＩＤ問合せデータを前記送信信号として出力する問合せ送信装置を備えることを特徴とする通信装置であり、本発明の通信装置によれば、自動的に、子局通信装置と端末通信装置との接続状況を学習することが可能となる親局通信装置を提供することができるか、もしくは、自動的に、親局通信装置に、子局通信装置と端末通信装置との接続状況を学習させることが可能となる子局通信装置を提供することができる。
【産業上の利用可能性】
【０１１３】
本発明にかかる親局通信装置は、自動的に、子局通信装置と端末通信装置との接続状況を学習することが可能となるという特徴を有し、無線ＬＡＮ機器等として有用である。また、ＡＶ無線伝送機器等の用途にも応用できる。
【０１１４】
本発明にかかる子局通信装置は、自動的に、親局通信装置に、子局通信装置と端末通信装置との接続状況を学習させることが可能であるという特徴を有し、無線ＬＡＮ機器等として有用である。また、ＡＶ無線伝送機器等の用途にも応用できる。
【図面の簡単な説明】
【０１１５】
【図１】本発明の実施の形態１におけるネットワークの構成図
【図２】本発明の実施の形態２におけるネットワークの構成図
【図３】従来のネットワークの構成図
【図４】子局通信装置と端末通信装置との接続状況を示すテーブルを示す図
【符号の説明】
【０１１６】
１    有線送信信号
２    無線送信信号
３    有線受信信号
４    無線受信信号
５    タイミング信号
６    ＩＤ問合せデータ
７    端末ＩＤデータ
９    返答監視信号
８    自身アドレス
１０    問合せ信号
１１    子局通信装置アドレス
１２    端末通信装置アドレス
１７    直接アドレス
１９    最終アドレス
２０    ＩＤ通知データ
５１    有線送受信装置
５２    無線送受信装置
５３    タイミング装置
５４    問合せ送信装置
５５    直接アドレス装置
５６    最終アドレス装置
５８    ＩＤ問合せデータ装置
５９    問合せ作成装置
６０    ＩＤペア保存装置
６２    中継装置
７０    ＩＤ通知装置
７１    端末ＩＤ装置
７３    返答監視装置
７４    端末ＩＤデータ装置
７５    通知作成装置
８０    ＩＤ問合せ装置
８１    問合せ送信装置
１０１    親局通信装置
１１１    子局通信装置
１１２〜１１５    端末通信装置
１１６    有線通信路
１２１    子局通信装置
１３０    無線通信路
【図１】
2006019878.tif 000003
【図２】
2006019878.tif 000004
【図３】
2006019878.tif 000005
【図４】
2006019878.tif 000006